(57)【要約】【課題】止水を確実に行うことができるとともに、復旧作業を容易に行える緊急遮断弁を提供する。【解決手段】流通口３を備えたケーシング４と、流通口３を開閉する弁部９を一端側に備えかつ他端側に係止部１０を備えるとともに弁部９の開閉方向に移動自在に構成された弁部材１１と、弁部材１１を弁部９の閉止方向に付勢する付勢手段１２と、弁部材１１の係止部１０が係止して弁部９を流通口３から離間した開放状態で保持するための被係止部１３を備えたストッパー部材１４とを備え、係止部１０のストッパー部材１４の被係止部１３に対する係止方向が弁部材１１の移動方向と同一方向に設定されている。【選択図】図１
2014190391.tif 000002
【特許請求の範囲】
【請求項１】
一次側流路と二次側流路とを連通する流通口を備えたケーシングと、前記流通口を開閉する弁部を一端側に備えかつ他端側に係止部を備えるとともに該弁部の開閉方向に移動自在に構成された弁部材と、該弁部材を前記弁部の閉止方向に付勢する付勢手段と、前記弁部材の係止部が係止して前記弁部を前記流通口から離間した開放状態で保持するための被係止部を備えたストッパー部材とを備え、
前記係止部の前記ストッパー部材の被係止部に対する係止方向が前記弁部材の移動方向と同一方向に設定され、
前記ストッパー部材は、振動発生時に前記弁部材との係止が解除されるように構成され、該係止解除によって前記開放状態で保持された弁部材が前記付勢手段により前記弁部の閉止方向に移動されて前記流通口が該弁部で閉止されることを特徴とする緊急遮断弁。
【請求項２】
前記弁部材が、移動方向と軸線とが一致する直線状の軸部を備え、該軸部を前記弁部材の移動方向に沿って案内する案内手段を備えていることを特徴とする請求項１に記載の緊急遮断弁。
【請求項３】
前記ストッパー部材が、球状体からなり、該球状体の球面が前記ストッパー部材の被係止部を構成し、前記弁部材の移動方向が上下方向であり、該球状体を載置する面が該球状体を所定位置まで誘導するための傾斜面に構成され、該所定位置に位置している球状体に上方から前記係止部が係止して前記弁部材の弁部を前記開放状態に保持するように構成されていることを特徴とする請求項１又は２に記載の緊急遮断弁。
【発明の詳細な説明】
【技術分野】
【０００１】
本発明は、例えば水道水等の流体の流通経路中に設置して、例えば地震発生により所定値を越える振動が発生した緊急時に、流体の流れを遮断することができる緊急遮断弁に関する。
【背景技術】
【０００２】
かかる緊急遮断弁としては、通水路及び通水路中に通水孔が形成されるケーシングと、このケーシングの通水孔を閉じる落下弁と、この落下弁を通水孔の上方の開放位置において水平方向両側から挟み込んで圧接保持すべく対向配置された支持片と弁押さえ杆とを備えたものが提案されている（例えば特許文献１参照）。
【０００３】
前記支持片は、ケーシングに固定されており、前記弁押さえ杆は、水平方向に移動自在に設けられ、かつ、落下弁を支持片側に押し付けるためにコイルバネにより付勢されている。また、落下弁は、弁押さえ杆に係止し易いように横側部がビヤ樽状に膨出形成されている。このように構成された緊急遮断弁においては、例えば地震による振動発生により落下弁に水平方向の揺動力が加えられ、弁押さえ杆がコイルバネの付勢力に抗して支持片から離間する側へ移動される。この移動で落下弁が支持片と弁押さえ杆とから受ける圧接力が解除又は弱くなり、落下弁が自重により落下して通水孔を閉じることになる。
【０００４】
また、落下弁の上端の中央部には、下方に向ってねじ孔が形成されている。さらに、このねじ孔に螺合して前述のように自重により落下した落下弁を引き揚げるための落下弁引き揚げステムを備えている。
【先行技術文献】
【特許文献】
【０００５】
【特許文献１】特許第２７７２２６４号公報（図１参照）
【発明の概要】
【発明が解決しようとする課題】
【０００６】
上記特許文献１によれば、前述したように、落下弁が揺動力を受けて落下する構成では、下方へ落下しようとしている落下弁に弁押さえ杆から横方向の押し付け力が作用すると、落下弁の姿勢が所定の姿勢から傾いた姿勢になることがある。この傾いた姿勢の落下弁が落下すると、通水孔に対して傾いた状態で落下弁が入り込むことになる。その結果、通水孔を落下弁で確実に閉じることができず、止水を確実に行うことができないことがあった。また、落下した落下弁を元の位置に戻すためには、弁押さえ杆をコイルバネの付勢力に抗して支持片から離間する側へ移動させながら、落下弁のねじ孔に落下弁引き揚げステムを螺合して引き揚げなければならない。そのため、復旧作業が面倒な作業になっていた。
【０００７】
本発明は前述の状況に鑑み、解決しようとするところは、止水を確実に行うことができるとともに、復旧作業を容易に行える緊急遮断弁を提供するものである。
【課題を解決するための手段】
【０００８】
本発明の緊急遮断弁は、前述の課題解決のために、一次側流路と二次側流路とを連通する流通口を備えたケーシングと、前記流通口を開閉する弁部を一端側に備えかつ他端側に係止部を備えるとともに該弁部の開閉方向に移動自在に構成された弁部材と、該弁部材を前記弁部の閉止方向に付勢する付勢手段と、前記弁部材の係止部が係止して前記弁部を前記流通口から離間した開放状態で保持するための被係止部を備えたストッパー部材とを備え、前記係止部の前記ストッパー部材の被係止部に対する係止方向が前記弁部材の移動方向と同一方向に設定され、前記ストッパー部材は、振動発生時に前記弁部材との係止が解除されるように構成され、該係止解除によって前記開放状態で保持された弁部材が前記付勢手段により前記弁部の閉止方向に移動されて前記流通口が該弁部で閉止されることを特徴としている。
【０００９】
本発明によれば、例えば地震によって振動が発生した振動発生時において、ストッパー部材と弁部材との係止が解除されると、開放状態で保持された弁部材は、付勢手段による閉止方向への付勢によって閉止方向に移動され、弁部材の弁部で流通口を確実に閉じることができる。しかも、係止部のストッパー部材の被係止部に対する係止方向が弁部材の移動方向と同一方向に設定されていることから、閉じた状態にある弁部材を開放方向へ移動させ、該弁部材の移動方向で係止部を被係止部に係止することで、容易に復旧作業ができる。
【００１０】
又、本発明の緊急遮断弁は、前記弁部材が、移動方向と軸線とが一致する直線状の軸部を備え、該軸部を前記弁部材の移動方向に沿って案内する案内手段を備えていてもよい。
【００１１】
上記のように、弁部材を案内する案内手段を備えていれば、弁部材の移動をよりスムーズかつ確実に行わせることができ、弁部材の弁部が流通口を確実に閉じることができる。
【００１２】
又、本発明の緊急遮断弁は、前記ストッパー部材が、球状体からなり、該球状体の球面が前記ストッパー部材の被係止部を構成し、前記弁部材の移動方向が上下方向であり、該球状体を載置する面が該球状体を所定位置まで誘導するための傾斜面に構成され、該所定位置に位置している球状体に上方から前記係止部が係止して前記弁部材の弁部を前記開放状態に保持するように構成されていてもよい。
【００１３】
上記のように、ストッパー部材である球状体を載置する面が、該球状体を所定位置まで誘導するための傾斜面に構成されていれば、緊急遮断弁の復旧時において、係止解除されて所定位置から外れた位置にある球状体が傾斜面に沿って自ずと誘導されて、所定位置に迅速かつ容易に位置させることができる。所定位置に位置している球状体に上方から係止部が係止して弁部材の弁部を開放状態に保持することができる。
【発明の効果】
【００１４】
本発明によれば、付勢手段により弁部材を弁部の閉止方向に移動させることによって、弁部材の弁部で流通口を確実に閉じることができ、止水を確実に行うことができる。しかも、係止部のストッパー部材の被係止部に対する係止方向を弁部材の移動方向と同一方向に設定することによって、復旧作業を容易に行える緊急遮断弁を提供することができる。
【図面の簡単な説明】
【００１５】
【図１】本発明の第一実施形態の緊急遮断弁の開放状態を示し、（ａ）は平面図、（ｂ）は縦断正面図である。
【図２】同緊急遮断弁の開放状態を示し、（ａ）は図２（ｂ）のＡ−Ａ線断面図、（ｂ）は縦断側面図である。
【図３】同緊急遮断弁の閉塞状態を示し、（ａ）は図３（ｂ）のＢ−Ｂ線断面図、（ｂ）は縦断正面図である。
【図４】同緊急遮断弁の要部の拡大断面図である。
【図５】本発明の第二実施形態の緊急遮断弁の開放状態を示し、（ａ）は平面図、（ｂ）は縦断正面図である。
【図６】同緊急遮断弁の開放状態を示し、（ａ）は図５（ｂ）のＣ−Ｃ線断面図、（ｂ）は縦断側面図である。
【図７】同緊急遮断弁の閉塞状態を示し、（ａ）は図６（ｂ）のＤ−Ｄ線断面図、（ｂ）は縦断正面図である。
【発明を実施するための形態】
【００１６】
＜第一実施形態＞
図１（ａ），（ｂ）〜図３（ａ），（ｂ）に、本発明の第一実施形態の緊急遮断弁１００を示している。この緊急遮断弁１００は、一次側流路１と二次側流路２とを連通する流通口３を備えたケーシング４と、流通口３を開閉する開閉機構５とを備えている。
【００１７】
ケーシング４は、水平方向に長い横長状に構成され、かつ、円筒状体に構成されている。そのケーシング４の長手方向一端には、水道本管等の一次側配管（図示せず）が接続される流入口６が形成されている。また、ケーシング４の長手方向他端には、一次側配管からの水道水が受け渡される二次側配管（図示せず）が接続される流出口７が形成されている。また、ケーシング４の長手方向中央部には、上下方向に貫通して形成される前記流通口３を備えている。この流通口３を挟んで一方側（図２（ｂ）では左側）に前記一次側流路１が形成され、他方側（図では右側）に前記二次側流路２が形成される。さらに、ケーシング４の長手方向中央部の上端には、後述する支持体１７を螺合により固定するための円筒部８が上方に延出されている。円筒部８の上端外周縁には、水平方向に拡がるフランジ部８Ｆを備えている。
【００１８】
前記開閉機構５は、流通口３を開閉する弁部９を一端側に備えかつ他端側に係止部１０を備えるとともに弁部９の開閉方向に移動自在に構成された弁部材１１と、弁部材１１を弁部９の閉止方向に付勢する付勢手段１２と、付勢手段１２で閉止方向に移動される弁部材１１の係止部１０が係止して弁部９を流通口３から離間した開放状態で保持するための被係止部１３を備えたストッパー部材１４とを備えている。
【００１９】
前記弁部材１１は、上下方向に向かう直線状の軸部１５と、この軸部１５の下端に取り付けられる前記弁部９と、該軸部１５の上端に連結され前記係止部１０を有する支持部材１６とを備えている。このように軸部１５の軸線が上下方向に沿った線であり、かつ、弁部材１１の移動方向が上下方向であるため、弁部材１１の移動方向と軸部１５の軸線とが一致している。
【００２０】
前記軸部１５は、弁部９が下端に取り付けられる円柱状の軸部本体１５Ａと、この軸部本体１５Ａよりも直径が小さく形成され軸部本体１５Ａの上端から上方に延びる円柱状の先端部１５Ｂとを備えている。また、軸部本体１５Ａの下端には、軸部本体１５Ａよりも大径となる２つの大径部１５Ｃ，１５Ｄが下方に延びるように形成されている。下側の大径部１５Ｄが上側の大径部１５Ｃよりも大径に構成されている。また、下側の大径部１５Ｄの下端面１５ｄには、その中央部から下方へ突出する棒状の突出部１５Ｔが形成され、その突出部１５Ｔの外面には、螺子部１５Ｎが形成されている。
【００２１】
また、軸部１５には、図１〜図４に示すように、軸部１５と支持体１７との間に水を入り込ませるための通水路３０が形成されている。この通水路３０は、軸部１５の軸部本体１５Ａの下端に外側の２箇所（１箇所又は３箇所以上でもよいが、コスト的には１箇所又は２箇所がベストであり、また、３箇所又は４箇所までが実際には形成可能である）から中心に向かって形成された複数（図では２つ）の第１通水路３０Ａ，３０Ａと、２つの第１通水路３０Ａ，３０Ａが合流する中心側終端から上方の前記先端部１５Ｂの下端部まで形成された縦向きの第２通水路３０Ｂと、第２通水路３０Ｂの上端部から水平方向外側へ向かって形成された２つ（１つ又は３つ以上でもよいが、コスト的には１つ又は２つがベストであり、また、３つ又は４つまでが実際には形成可能である）の第３通水路３０Ｃ，３０Ｃとを備えている。従って、ケーシング４内の水が第１通水路３０Ａ，３０Ａ、第２通水路３０Ｂ、第３通水路３０Ｃ，３０Ｃの順に入り込む。これにより、支持部材１７に形成されている段部１７Ｘと軸部本体１５Ａの上端面１５Ｕとの間に形成される隙間Ｓに水が入り込む。これによって、弁部９を上方へ押し上げるように加わる水圧Ｆ１に対して隙間Ｓに入り込んだ水が弁部材１１の上端面１５Ｕを押し下げる力Ｆ２及び大径部１５Ｃ，１５Ｄの平面部を押し下げる力Ｆ３が作用する。それらの押し下げる力Ｆ２，Ｆ３の分だけ、付勢手段１２の付勢力を小さく設定することができ、高感度の緊急遮断弁１００を構成することができる。尚、図４の拡大図にのみ示しているが、軸部１５の上下方向中間部の外面に周方向に沿って溝１５Ｍが形成されており、支持体１７に対する軸部１５の摺動抵抗を低減することができるようにしているが、無くてもよい。また、図４では、ドットを記載している部分が、水が入り込んでいる部分を示すとともに、ハッチングを省略している。
【００２２】
また、前記軸部１５の軸部本体１５Ａ及び先端部１５Ｂは、案内手段１７により前記弁部材１１の移動方向（ここでは上下方向）に沿って案内されるようになっている。この案内手段１７は、前記軸部本体１５Ａ及び先端部１５Ｂをそれぞれ移動案内する大きさの異なる上下２段の貫通孔１７Ｋ１，１７Ｋ２が形成された支持体から構成されている。この支持体１７は、本体１７Ａと、この本体１７Ａの下端から本体１７Ａよりも小径となる２つの小径部１７Ｂ，１７Ｃが下方に延びるように形成されている。また、前記上側の小径部１７Ｂの外周面には、螺子部が形成され、この螺子部に螺合する螺子部が前記円筒部８の内面に形成されている。従って、ケーシング４の円筒部８に支持体１７の下端部をねじ込むことによりケーシング４に支持体１７を固定することができる。尚、支持体１７の上端には、前記支持部材１６を挟み込むことができる隙間を置いて対向位置する平面視において半円状の突出部１７Ｄ，１７Ｅが上方に突出するように形成されている。これら一対の突出部１７Ｄ，１７Ｅの外周面には、螺子部が形成されている。従って、該螺子部に後述するカバー部材２２の下部の内周面に形成された螺子部を螺合することによって、カバー部材２２を支持体１７に固定することができる。また、支持体１７の上部側の外周面には、水平方向に突出するフランジ部１７Ｆが形成され、前記ねじ込まれるカバー部材２２の下端面２２Ｄを受け止めることができる。
【００２３】
前記弁部９は、ゴムや合成樹脂で構成され、中心に貫通孔９Ｋが形成された円盤状に構成されている。従って、弁部９を軸部１５の突出部１５Ｔに貫通した状態でナット１８を突出部１５Ｔの先端（下端）に螺合することにより、弁部９を軸部１５の突出部１５Ｔに固定することができる。
【００２４】
前記付勢手段１２は、コイルスプリングからなり、このコイルスプリング１２を、軸部１５の下側の大径部１５Ｄの上面と、支持体１７の上側の小径部１７Ｂの下面との間に設けて、弁部材１１を下方側、つまり流通口３側に付勢している。
【００２５】
係止部１０は、前記支持部材１６に取り付けられ、前記ストッパー部材１４に上方から係止可能になっている。そして、係止部１０のストッパー部材１４の被係止部に対する係止方向が弁部材１１の移動方向と同一方向（ここでは上下方向）に設定されている。
【００２６】
ストッパー部材１４は、球状体からなり、球状体１４の球面が係止部１０に係止する被係止部１３を構成している。その球状体１４は、前記支持体１７の上面に載置され、支持体１７の上面、つまり突出部１７Ｄ，１７Ｅの上面１７Ｇ，１７Ｇは、上面１７Ｇ，１７Ｇの中心となる部位に球状体１４を誘導できるように傾斜面に構成されている。つまり、支持体１７の上面は、中心側ほど下方に位置する傾斜面に構成されている。その傾斜面の角度（俯角）は、２°〜１０°の任意の角度に設定することが好ましいが、この角度範囲以外であってもよい。尚、支持体１７の中央には、支持体１７の中心部に安定よく球状体１４を位置させるためのプレート２０を嵌め込むための溝１７Ｍが形成されている。このプレート２０の上面２０Ａも、中心側ほど下方に位置する傾斜面に構成されており、その傾斜面の角度（俯角）は、２°〜５°の任意の角度に設定することが好ましいが、この角度範囲以外であってもよい。尚、支持体１７の傾斜面の角度をプレート２０の傾斜面の角度よりも大きな値、例えば後述する第二実施形態のように、支持体１７の傾斜面の角度を５°でプレート２０の傾斜面の角度を２°に設定することによって、地震時には、球状体１４が被係止部１３から係止解除し易く、係止解除した球状体１４を中心の係止位置まで復旧させる時には、係止位置に戻り易くできる利点がある。
【００２７】
支持体１７の上面には、球状体１４の他に、球状体１４を囲むように板状で環状のリング部材２１がフリーな状態で載置されている。このリング部材２１は、地震により発生する振動により水平方向に移動して球状体１４に当接することにより、弁部材１１の係止部１０に係止している球状体１４を弁部材１１から確実に係止解除させるために設けられている。リング部材２１は、図３（ａ）に示すように、互いに平行となる一対の直線板部２１ａ，２１ａと、これら両端同士を連結する円弧部分２１ｂ，２１ｂとからなる小判形状に構成されているが、どのような形状であってもよい。尚、リング部材２１の材料としては、金属が好ましいが、合成樹脂などで構成することもできる。
【００２８】
支持部材１６は、図２（ｂ）において左右一対の左右板部１６Ａ，１６Ｂと上下一対の上下板部１６Ｃ，１６Ｄとを備える環状で略正方形状に構成されている。そして、上側板部１６Ｃの左右方向中央に雌螺子が形成された螺子孔１６Ｋに係止部１０を螺合している。係止部１０は、外面に雄螺子が形成された円筒状の螺子部材２３と、この螺子部材２３の下端に取り付けられ前記球状体１４に点接触により係止する係止部である球面２４Ａを有するボール２４と、ボール２４を下方側へ突出付勢するために螺子部材２３の内部に設けられるコイルスプリング２５とを備えている。従って、螺子部材２３を上側板部１６Ｃの螺子孔１６Ｋに螺合して上側板部１６Ｃに対する螺子部材２３の上下方向における位置決めを行う。その位置決め後、螺子部材２３の上端からナット２６をそれの下端面が上側板部１６Ｃの上端面に当接するまで螺合することにより、螺子部材２３を上側板部１６Ｃに上下方向で動くことがないように固定することができる。また、下側板部１６Ｄの下面における左右方向中央に、下方に突出する円柱状の突起部１６Ｔを備え、その突起部１６Ｔの外面に螺子部を形成している。この突起部１６Ｔをねじ込んで固定するための螺子孔１５Ｍを前記軸部１５の先端部１５Ｂの上端部の中央に形成している。尚、上側板部１６Ｃに対する係止部１０の上下位置を変更することによって、球状体１４に対する接触圧の調節が可能であるため、地震の振動により球状体１４が係止解除するタイミングの調節、つまり地震の振動の大きさに対する緊急遮断弁１００の感度調節を行うことができる。上記のように係止部をボール２４から構成することによって、振動時にストッパー部材１４が移動する時に、係止部自身も回転するため、ストッパー１４との摩擦が低減され、ボール２４からストッパー１４が外れ易くなる（係止解除され易くなる）。これにより、高感度の緊急遮断弁１００を構成することができる。
【００２９】
前記支持体１７の上面には、カバー部材２２が螺合されている。このカバー部材２２を、例えば透明な合成樹脂で構成することによって、カバー部材２２の内部を容易に視認することができる。また、支持部材１６に固定された螺子部材２３の上端には、図１（ｂ）に示すように、操作部材２７がねじ込み固定される（図２（ｂ）及び図３（ｂ）では操作部材２７を省略している）。この操作部材２７は、カバー部材２２の上端に形成されている貫通孔２２Ｋを通してカバー部材２２の上方に突出している。操作部材２７は、螺子部材２３の上端に螺合する螺子部２８Ａが形成された上下方向に延びる縦部材２８と、この縦部材２８に形成の水平方向の貫通孔２８Ｋに貫通装着される横長状の取手部２９とを備えている。
【００３０】
このように構成された緊急遮断弁１００は、地震によって所定値を越える振動を受けることによって、流通口３を弁部９により閉じることができるように構成されている。つまり、発生した振動により、球状体１４が自ずと移動する、又は移動するリング部材２１が球状体１４に当接しその当接力を受けて球状体１４が水平方向に移動する（図３（ａ），（ｂ）では左側に移動する）。これによって、球状体１４の球面（被係止部）１３と弁部材１１のボール２４の球面（係止部）２４Ａとの係止（点接触）が解除される。そして、この係止解除によって弁部材１１がコイルスプリング１２により弁部９の閉止方向に移動され、流通口３が弁部９により確実に閉止される（図３（ｂ）参照）。
【００３１】
しかも、係止部１０のストッパー部材１４の被係止部１３に対する係止方向が弁部材１１の移動方向と同一方向に設定されていることから、コイルスプリング１２の付勢力に抗して操作部材２７を上方へ持ち上げることにより、弁部材１１を上方へ移動させる。この上方への移動量は、ストッパー部材１４が弁部材１１のボール２４とプレート２０との間に入り込むことができる距離である。この状態において、球状体１４が所定位置（プレート２０の中心）に位置していることを確認し、位置している場合に、手を離すことによって、コイルスプリング１２の付勢力で弁部材１１が下方に移動し、弁部材１１のボール２４の球面（係止部）２４Ａが球状体１４の球面（被係止部）１３に係止（当接）する。よって、緊急遮断弁１００の復旧作業を容易に行うことができる。
【００３２】
また、前述のように、弁部材１１を案内する案内手段である支持体１７を備えているので、弁部材１１の上下移動をよりスムーズかつ確実に行わせることができる。よって、弁部材１１の弁部９が流通口３を確実に閉じることができる。
【００３３】
また、前述のように、ストッパー部材１４が、球状体からなり、球状体１４を載置する上面１７Ｇ，１７Ｇが球状体１４を所定位置まで誘導するための傾斜面に構成されている。従って、緊急遮断弁の復旧時において、操作部材２７を上方へ持ち上げた状態にしておけば、係止解除されて所定位置から外れた位置にある球状体１４が傾斜面１７Ｇに沿って自ずと誘導され、所定位置に迅速かつ容易に位置させることができる。操作部材２７から手を離すことによって、所定位置に位置している球状体１４に上方から係止部１０が係止して弁部材１１の弁部９を開放状態に保持することができる（図１（ｂ）及び図２（ｂ）参照）。ここでは、所定位置をプレート２０の中心で、かつ、弁部材１１の軸部１５の軸線の延長線上に設定しているが、他の位置に設定してもよい。この所定位置の変更に合わせて球状体１４の被係止部１３と係止部１０との係止位置を変更することになる。
【００３４】
＜第二実施形態＞
図５（ａ），（ｂ）〜図７（ａ），（ｂ）に、本発明の第二実施形態の緊急遮断弁２００を示している。この緊急遮断弁２００は、第一実施形態と同様に、一次側流路１と二次側流路２とを連通する流通口３を備えたケーシング４と、流通口３を開閉する開閉機構５とを備えている。尚、第一次実施形態の緊急遮断弁１００とは、細かい部分は別にして、リング部材２１を省略した以外は、寸法や一部形状が異なるだけで、大まかな基本的構成は同一である。そのため、以下において、第一実施形態と大きく異なる部分のみを説明し、第一実施形態と同一の符号を付している。
【００３５】
図１で示した支持体１７を上下方向に短い支持体に構成する（図１（ｂ）の本体１７Ａを無くす）ことで、上下方向にコンパクトな緊急遮断弁２００に構成している。そのため、弁部材１１の軸部１５も上下方向に短い寸法に設定している。また、支持体１７の上下の小径部１７Ｂ，１７Ｃの肉厚を薄くしたり、軸部１５の太さを細くしてよりコンパクト化及び軽量化を図っている。
【００３６】
また、係止部１０を支持部材１６の上側板部１６Ｃに一体形成された突起部１６ｃから構成して、製造面において有利にしている。その突起部１６ｃの下面は、球状体１４の被係止部である球面１３に点接触するように球面１６Ｓ（図７（ｂ）参照）に形成されている。
【００３７】
また、カバー部材２２の貫通孔２２Ｋの大きさを、操作部材２７の縦部材２８が入り込む程度の大きさに設定することによって、貫通孔２２Ｋを通して他物が入り込むことがないようにして、緊急遮断弁２００の誤作動や作動不良等を防止するようにしている。また、支持体１７の傾斜面の角度（俯角）を５°でプレート２０の傾斜面の角度（俯角）を２°に設定することによって、地震時には、球状体１４が被係止部１３から係止解除し易く、係止解除した球状体１４を中心の係止位置まで復旧させる時には、係止位置に戻り易くできる利点がある。
【００３８】
このように構成された緊急遮断弁２００は、地震によって所定値を越える振動を受けることによって、球状体１４が自ずと移動する（図７（ａ），（ｂ）では左側に移動する）。これによって、前述同様に、球状体１４の球面（被係止部）１３と弁部材１１の突起部１６ｃの球面（係止部）１６Ｓとの係止（点接触）が解除される。そして、この係止解除によって弁部材１１がコイルスプリング１２により弁部９の閉止方向に移動され、流通口３が弁部９により確実に閉止される（図７（ｂ）参照）。
【００３９】
尚、本発明は、上記実施形態に限定されるものではなく、本発明の要旨を逸脱しない範囲で種々の変更が可能である。
【００４０】
例えば、上記第一実施形態では、振動が発生した緊急時に、球状体１４を確実に係止解除させるためのリング部材２１を設けたが、上記第二実施形態のように無くてもよい。また、ストッパー部材として球状体１４を設けたが、地震により発生する振動により係止解除できるものであれば、直方体や立方体の他、棒状部材や板状部材であってもよい。
【００４１】
また、上記実施形態では、地震により発生する振動を利用して、ストッパー部材１４と弁部材１１との係止が自ずと解除される構成としたが、振動の発生を検知する検知手段を設け、検知手段の検知信号に基づいてストッパー部材１４と弁部材１１との係止を強制的に解除する強制解除手段を設けて実施することもできる。
【００４２】
また、上記実施形態では、ストッパー部材として球状体１４を用い、支持体１７の上面１７Ｇ，１７Ｇを傾斜面に構成することによって、復旧時に球状体１４を自ずと所定位置に戻る構成としたが、球状体１４ではない場合、つまり、復旧時に自ずと所定位置に戻る構成ではない場合には、外部からストッパー部材を所定位置まで移動させることができるための開口を形成して実施することもできる。尚、前記開口を閉じる蓋部材を開閉自在に備えさせて実施してもよい。
【００４３】
また、上記実施形態では、ストッパー部材１４を載置する支持体１７を設けたが、支持体１７をケーシング４に一体形成して実施することもできる。
【００４４】
また、上記実施形態では、ストッパー部材１４と弁部材１１との係止を点接触としたが、線接触又は面接触となる構成であってもよい。
【００４５】
また、上記実施形態では、支持部材１６を環状に構成したが、環状でなくてもよく、例えばコの字状等、どのような形状であってもよい。要するに、球状体（ストッパー部材）１４を迂回させながら、係止部１０を弁部材１１に備えさせることができる形状であれば、どのような形状であってもよい。
【００４６】
また、上記実施形態では、カバー部材２２を透明な材料から構成したが、不透明な材料で構成してもよい。尚、カバー部材２２を不透明な材料で構成した場合、カバー部材２２の内部が見えない。しかし、操作部材２７の上下高さを確認することによって、緊急遮断弁１００が作動した状態（図３（ｂ）参照）であるか、又は作動していない状態（図１（ｂ）、図２（ｂ）参照）であるかを直ちに把握することができる。
【００４７】
また、上記実施形態では、弁部材１１の移動方向と軸部１５の軸線とが一致するように弁部材１１を構成したが、弁部材１１の移動方向を上下方向に設定し、弁部材の軸部１５の軸線が上下方向と直交する水平方向に延びるように軸部１５を構成して実施することもできる。
【符号の説明】
【００４８】
１…一次側流路、２…二次側流路、３…流通口、４…ケーシング、５…開閉機構、６…流入口、７…流出口、８…円筒部、８Ｆ…フランジ部、９…弁部、９Ｋ…貫通孔、１０…係止部、１１…弁部材、１２…付勢手段（コイルスプリング）、１３…被係止部、（球面）、１４…ストッパー部材（球状体）、１５…軸部、１５Ａ…軸部本体、１５Ｂ…先端部、１５Ｃ，１５Ｄ…大径部、１５Ｍ，１５Ｎ…螺子部、１５Ｔ…突出部、１５ｄ…下端面、１６…支持部材、１６Ａ，１６Ｂ…左右板部、１６Ｃ，１６Ｄ…上下板部、１６Ｋ…螺子孔、１６Ｓ…球面、１６Ｔ…突起部、１６ｃ…突起部、１７…案内手段（支持体）、１７Ａ…本体、１７Ｂ，１７Ｃ…小径部、１７Ｄ，１７Ｅ…突出部、１７Ｆ…フランジ部、１７Ｇ…傾斜面（上面）、１７Ｋ１，１７Ｋ２…貫通孔、１７Ｍ…溝、１８…ナット、２０…プレート、２０Ａ…上面、２１…リング部材、２１ａ…直線板部、２１ｂ…円弧部分、２２…カバー部材、２２Ｄ…下端面、２２Ｋ…貫通孔、２３…螺子部材、２４…ボール、２４Ａ…球面、２５…コイルスプリング、２６…ナット、２７…操作部材、２８…縦部材、２８Ａ…螺子部、２８Ｋ…貫通孔、２９…取手部、１００，２００…緊急遮断弁
【図１】
2014190391.tif 000003
【図２】
2014190391.tif 000004
【図３】
2014190391.tif 000005
【図４】
2014190391.tif 000006
【図５】
2014190391.tif 000007
【図６】
2014190391.tif 000008
【図７】
2014190391.tif 000009